(57)【要約】靴墨を塗布し磨くための手袋（１）は共に取り外し可能に接合される少なくとも二つの部分、すなわち、−  靴墨に含侵されるパッド（５）に付着され、剥離式シール（６）で被覆される裏張り薄膜（４）を含む靴墨塗布部分（２）と、−  手袋の形状を有し、磨き用パッド（８）が付着される袋状薄膜（７）を含む磨き部分（３）とを備える。【選択図】図３
2011504971.tif 000002
【特許請求の範囲】
【請求項１】
靴墨を塗布し磨くための手袋（１）であって、
少なくとも二つの部分、すなわち：
−  前記靴墨に含侵されるつや出しパッド（５）に付着し、剥離式シール（６）で被覆される裏張り薄膜（４）を含むつや出し塗布部分（２）と、
−  手袋の形状を有し、磨き用パッド（８）に付着される袋状薄膜（７）を含む磨き部分（３）と
が取り外し可能に接合される手袋。
【請求項２】
前記剥離式シール（６）は、液密性及び気密性材料製である請求項１記載の手袋。
【請求項３】
前記剥離式シール（６）は、液密性及び気密性接合により前記裏張り薄膜（４）に固着される請求項１又は２記載の手袋。
【請求項４】
前記裏張り薄膜（４）は、液密性及び気密性材料製である請求項１〜３いずれか１項記載の手袋。
【請求項５】
前記磨き用パッド（８）は、Ｕ字状固着領域（１２）に沿って、前記袋状薄膜に固着される請求項１〜４いずれか１項記載の手袋。
【請求項６】
前記袋状薄膜（７）は、前記つや出しパッド（５）に対抗する側の前記裏張り薄膜（４）に固着される請求項１〜５いずれか１項記載の手袋。
【請求項７】
前記袋状薄膜（７）は、前記つや出しパッド（５）の側の前記裏張り薄膜（４）に固着される請求項１〜５いずれか１項記載の手袋。
【請求項８】
前記磨き用パッド（８）は当て切れ（２０）を含む請求項１〜７いずれか１項記載の手袋。
【請求項９】
前記つや出し部分（２）は、中心切り抜き部（１８）を含み且つ前記つや出しパッド（５）の外周を被覆する仕上げ薄膜（１７）を含む請求項１〜８いずれか１項記載の手袋。
【請求項１０】
前記仕上げ薄膜（１７）は、液密性及び気密性材料製である請求項９記載の手袋。
【請求項１１】
前記剥離式シール（６）は、液密性及び気密性熱接合により前記仕上げ薄膜（１７）に固着される請求項９又は１０記載の手袋。
【請求項１２】
前記袋状薄膜（７）は、前記つや出しパッド（５）に対向する側の前記仕上げ薄膜（１７）に固着される請求項９〜１１いずれか１項記載の手袋。
【請求項１３】
前記袋状薄膜（７）は、前記つや出しパッド（５）の側の前記仕上げ薄膜（１７）に固着される請求項９又は１２記載の手袋。
【請求項１４】
前記つや出し部分（２）は手袋の形状であり、前記つや出しパッド（５）に対向する側の前記裏張り薄膜（４）に固着された袋状薄膜（２１）を含む請求項１〜１３いずれか１項記載の手袋。
【請求項１５】
前記袋状薄膜（２１）は当て切れ（２４）を含む請求項１４記載の手袋。
【発明の詳細な説明】
【技術分野】
【０００１】
本発明は、革靴に靴墨を塗布し磨くための手袋に関する。
【背景技術】
【０００２】
靴をつや出しし磨くための典型的な方法のうち現在までで最も古く、恐らく最も一般的な方法は、革に液状又はペースト状のケア製品（すなわち靴墨）を塗布し、靴の表面の全体又は一部に該ケア製品を布で塗り拡げ、別布又は前に使用した布の一部で靴を磨くことである。
【０００３】
この昔ながらの方法は有効だが煩雑で汚れる。必要な道具（箱又はビン入り靴墨、清潔な角布、石鹸）が手軽に入手でき、必要な場所を問わず収納できるので、この方法は、家庭で靴の手入れをするのに便利である。しかし、この方法は、上述の道具が入手できない、及び／又は、通常の方法によりつや出しをする時間がない場合など、移動先でのつや出しには適さない。
【０００４】
これは新しい問題ではなく、２０世紀初頭には満足いく解決策を見つける試みがなされ、該解決策として、例えば１９２３年の米国特許第１，５０２，７９８号公報を参照する。この特許は一面に靴に塗布する靴墨に含浸される円盤を含み、反対側には靴を磨くための磨き用パッドを含むつや出し及び磨き用手袋状装置を提案する。靴をつや出しし磨くために、使用者は（手袋に固定される管によって）円盤を靴墨に含浸し、該円盤で靴を拭く。その後、使用者は、磨き用パッドによって靴を磨くために手袋をめくる。この装置は上述の問題に関して満足いくものであるが、手袋を再使用しなければないため、初めて使用した後に手袋をしまう時に、靴墨が含浸される円盤が使用者の服にしみをつける可能性があり汚いという短所がある。
【０００５】
この装置のより現代的な変形例は、米国特許第３，８０６，２６０号で提案され、二つの重畳されたシート、すなわち靴墨に含浸された第１シートと、該第１シートに接着され、磨く材料から成る第２シートとを備えた靴のつや出し及び磨き用手袋を開示する。剥離式シールは、最初に使用する前に、靴墨を保存するために第１シートを被覆する。つや出しし磨く方法はすでに引用した米国特許第１，５０２，７９８号の方法と同様であるが、米国特許第３，８０６，２６０号に係る装置は便利に使い捨て可能であり、連続した２回のつや出し作業の間に汚す危険性を排除する。それにもかかわらず、手袋の使用中、手袋のこの構造にシミがつく危険性は残り、特に磨く間、靴墨に含浸されたシートは露出される。
【発明の概要】
【課題を解決するための手段】
【０００６】
本発明の目的の一つは、汚れる危険性を最小限に抑えつつ靴をつや出しし磨く実際的で有効な手袋を提案することにより上記短所を解消することである。
【０００７】
したがって、本発明は靴墨を塗布し磨くための手袋であって、少なくとも二つの部分、すなわち：
−  前記靴墨に含侵されるつや出しパッドに付着し、剥離式シールで被覆される裏張り薄膜を含む靴墨塗布部分と、
−  手袋の形状を有し、磨き用パッドに付着される袋状薄膜を含む磨き部分と
が取り外し可能に接合される手袋を提案する。
【０００８】
本発明の他の目的及び利点は、添付図面を参照して、好適な実施形態に関する以下の記載から、より明確になる。
【図面の簡単な説明】
【０００９】
【図１】つや出し及び磨き用手袋の底面図であり、内部構造の一部の透視図。
【図２】図１の手袋の上平面図（非透視図）。
【図３】靴のつや出しに使用する前の、第１の実施形態に係るつや出し及び磨き用手袋を示す斜視図。
【図４】靴磨きに使用する前の、図３のつや出し及び磨き用手袋を示す斜視図。
【図５】図３の手袋の構造を示す分解斜視図。
【図６】第２の実施形態に係る手袋の構造を示す分解斜視図。
【図７】第３の実施形態に係る手袋の構造を示す切欠図（厚さは任意に拡大されている）。
【図８】第４の実施形態に係る手袋の構造を示す図７と同様の切欠図。
【図９】第５の実施形態に係る手袋の構造を示す図７と同様の切欠図。
【図１０】第６の実施形態に係る手袋の構造を示す図７と同様の切欠図。
【図１１】第７の実施形態に係る手袋の構造を示す図７と同様の切欠図。
【図１２】第８の実施形態に係る手袋の構造を示す図７と同様の切欠図。
【図１３】第９の実施形態に係る手袋の構造を示す図７と同様の切欠図。
【発明を実施するための形態】
【００１０】
つや出し及び磨き用手袋１を図示する。
長方形の手袋１は２つの分離可能部分、すなわち、
−第１に、一（又はそれ以上）の靴のつや出しをするためのつや出し部分２；
−第２に、靴を磨くための磨き部分３
を備える。
【００１１】
つや出し部分２は少なくとも、可撓性を有する液密性及び気密性プラスチック材料製の裏張り薄膜４と、靴墨に含浸され、裏張り薄膜４に固着されたつや出しパッド５と、該つや出しパッド５を被覆する剥離式シールとを備える。
【００１２】
手袋形状の磨き部分３は少なくとも、弾性プラスチック材料製の少なくとも袋状薄膜７と、該袋状薄膜の周囲の部分に固着される磨き用パッド８とを備え、開口部９を固着せずに残しておき、それにより、（図１にて破線で図示したように）手の指が一本以上挿入可能な開口部１０を画定する。
【００１３】
磨き部分３は、その外周の少なくとも一部に適用される接合又は接着により、つや出し部分に取り外し可能に固着される。
【００１４】
手袋１の使用法は簡単である。手袋１に片手をすべり入れた後、使用者はシール６を剥離する（図３）。したがって、靴墨を含浸したパッド５は被覆されない。使用者は、つや出しパッド５で靴を拭くことにより靴に靴墨を塗布する。一旦この動作が終わると、恐らく、剥離式シール６で再びつや出しパッド５を被覆した後で、使用者は磨き部分３からつや出し部分２を分離する（図４）。つや出し部分２は捨ててもよい。磨き部分３に手をすべり入れることにより、使用者は磨き用パッド８で靴を拭いてもよい。一旦この動作が終わると、磨き部分３を捨ててもよい。
【００１５】
図１及び図２に示すように、手袋１の外周は、手動による取扱いを容易にするために、且つ、シール６を剥がし、つや出し部分２及び磨き部分３の分離を容易にするために非対称である。
【００１６】
いくつかの実施形態が考慮されてもよい。本発明はこれに限定されないが、９つの実施形態を以下に記載する。
【実施例１】
【００１７】
（図１〜図５）
つや出し部分２は、裏張り薄膜４と、該裏張り薄膜４の外周（又はその面全体）に固着されるつや出しパッド５と、該つや出しパッド５の周りの外周に伸長している領域１１上の裏張り薄膜４に固着される剥離式シール６とを含む。
【００１８】
裏張り薄膜は、好適には、例えばポリエチレン・テレフタレート（ＰＥＴ）又はＥＶＯＨ（障壁層）の層を挟持しているポリエチレン（ＰＥ）の二層（接合層）の三重複合体などの弾性液密性及び気密性材料製である。つや出しパッド５は好適には不織ＰＥＴ製であり、該パッドが靴墨に含浸される前に、熱接合によりＰＥ側の裏張り薄膜４に固着される。
【００１９】
剥離式シール６は、（液状又は気体状の靴墨の漏出を防止するために）弾性気密性及び防水性材料、例えばＰＥＴ／ＰＥ又はＥＶＯＨ／ＯＥ複合体製であり、領域１１上の液密性及び気密性熱接合によって、ＰＥ側の裏張り薄膜４に固着され、靴をつや出しした後に、恐らく剥離式シール６を貼り直すことができるよう接着することにより２重にされる。
【００２０】
磨き部分３は、袋状薄膜７と、Ｕ字状領域１２上の該袋状薄膜に固着される磨き用パッド８とを備え、該Ｕ字状領域１２は３つの縁部、すなわち、袋状薄膜７と磨き用パッド８との間が固着されていない開口部９を除いて、２つの外側縁部１３、１４及び前方縁部１５に伸長し、それにより、開口部１０に指を挿入するのが可能となる。
【００２１】
袋状薄膜７は、ＰＥ製、好適には、別の材料、例えばＰＥＴ製の補強層が固着されたＰＥ層を含む複合体から成り、該袋状薄膜７は、ＰＥ側（すなわち、つや出しパッド５に対向する側面）のつや出し部分２（より詳細にいえば薄膜４）および、磨き用パッド８の固着部の領域１２の外側の、少なくとも外側縁部１３，１４の両方に（或いは前方縁部１５に沿って）伸長する領域１６で固着される。好適には、磨き用パッド８は不織ＰＥＴ製であり、熱接合によって袋状薄膜７に固着される。
【００２２】
他の実施形態では、裏張り薄膜４は、ＰＥ／ＰＥＴ二重フィルム製であり、該裏張り薄膜４の縁部は折り重ねられ、それにより、ＰＥ側上の裏張り薄膜４上に袋状薄膜７を接合できるよう、ＰＥ層は袋状薄膜７に向けられる。
【００２３】
手袋１を使用するために、使用者は、袋状薄膜７と磨き用パッド８との間に形成される開口部１０を通して、磨き部分３によって形成される手袋の中に指をすべり入れる。
【００２４】
その後、使用者は剥離式シール６を剥がしてつや出しパッド５で拭くことにより、靴に靴墨を塗布する。
【００２５】
一旦この動作が終わると、恐らく剥離式シール６を貼り直した後に、磨き部分３に指を入れたまま、磨き部分３からつや出し部分２を分離する。つや出し部分２は捨ててもよい。
【００２６】
磨き用パッド８で拭くことによって、靴を磨くことができる。一旦この動作が終わると、磨き部分３は捨ててもよい。
【実施例２】
【００２７】
（図１、図２、図６）
本実施例の手袋は実施例１の手袋と略同じであるが、つや出し部分２に、裏張り薄膜４と剥離式シール６との間に介在される液密性及び気密性材料製の仕上げ薄膜１７が存在することで区別される。仕上げ薄膜１７は中心切り抜き部１８を有し、該中心切り抜き部１８の表面はつや出しパッド５の表面よりも低い。仕上げ薄膜１７は、裏張り薄膜４と、つや出しパッド５を取り囲む領域１９との両方と、外周を被覆するつや出しパッド５に固着される。つや出しパッド５の縁部を被覆する仕上げ薄膜１７が存在することにより、靴をつや出しする間に破れる危険性を最小限に抑える。
【００２８】
仕上げ薄膜１７はＰＥ製、好適にはＰＥ／ＰＥＴ複合体又はＥＶＯＨ／ＰＥから成ってもよく、一方では液密性及び気密性接合により裏張り薄膜４に固着され、他方ではつや出しパッド５に含浸される前の熱接合によりつや出し部分に固着される。
【００２９】
剥離式シール６は、外周全体に沿って、恐らく靴を磨いた後に剥離式シール６を貼り直すことを可能にする接着により結合される液密性及び気密性の熱接合により仕上げ薄膜１７に固着される。
【００３０】
本実施例の手袋１の使用法は実施例１の使用法と同様である。
【実施例３】
【００３１】
（図１、図２、図７）
本実施例の手袋１は、つや出し部分２ならびに磨き部分が手袋形状であるように、一方では指を入れるための体積を増やすために、磨き用パッド８に当て切れ２０が存在すること、他方ではつや出しパッド５と対向する側の裏張り薄膜４（すなわち磨き部分３の側）に固定される袋状薄膜２１がつや出し部分２上に存在することにより、実施例１の手袋と区別される。
【００３２】
より正確には、ＰＥ製又は好適にはＰＥ／ＰＥＴ複合体から成る袋状薄膜２１は、好適には、つや出し部分２上の袋状薄膜７の固着部の領域１６内で同心状に伸長するＵ字形領域２２上のＰＥ側の熱接合により、裏張り薄膜４に固着される。袋状薄膜２１と裏張り薄膜との間で画定されるよう後方縁部９は固着が無く、第２の開口部２３は指をすべり入れることが可能になる。
【００３３】
図７に示すように、好適には、袋状薄膜２１は、該袋状薄膜２１と裏張り薄膜４との間に指を入れられるように体積を増やすことができる当て切れ２４を含む。
【００３４】
図７に図示するように、２つの重畳される薄膜、すなわちつや出しパッド５の封入を達成する遮断薄膜２５と、該遮断薄膜２５の外周から突出される接着剤に含侵される裏張り薄膜２６とを貼付することによって、剥離式シール６は複合体から形成されることができる。遮断薄膜２５は、裏張り薄膜４上のつや出しパッド５の周りの接合２７によってその外周に固着される。裏張り薄膜２６は、全体を覆う遮断薄膜２５と、外周２８で裏張り薄膜４とに接着される。シール６を剥がす間、遮断薄膜２５及び裏張り薄膜２６は共に貼付され、裏張り薄膜２６の接着された外周２８により、シール６を貼り直すことが可能となったまま、確実な方法で接合２７が破れる。
【００３５】
他の実施形態において、図７に点線で示すように、その外周２８での接着により結合される液密性及び気密性接合２７によって、剥離式シール６は、裏張り薄膜４に固着された唯一の被膜で出来ていてもよい。
【００３６】
更に、実施例１で開示された代替実施形態は実施例３に適用されてもよく、ＰＥ側の裏張り薄膜４に接合させるためにＰＥ層を袋状薄膜７、２１へめくることができるように、裏張り薄膜４は、折り重ねられた縁部を有する二重層ＰＥ／ＰＥＴ複合体から形成されてもよい。
【００３７】
手袋１は下記のように使用される。
【００３８】
最初に、使用者は磨き部分３からつや出し部分２を分離する。使用者は、袋状薄膜２１と裏張り薄膜４との間のつや出し部分２により形成される手袋の中に指をすべり入れる。
【００３９】
その後、使用者は、剥離式シール６を剥がしてつや出しパッド５で拭くことにより靴へ靴墨を塗布する。一旦この動作が終わると、恐らくシール６を貼り直した後に、つや出し部分２を捨ててもよい。
【００４０】
その後、使用者は、袋状薄膜７とつや出しパッド８との間の磨き部分３によって形成される手袋の中に指をすべり込ませる。その後、使用者は、磨き用パッド８で拭くことにより靴を磨く。一旦この動作が終わると、磨き部分３は捨ててもよい。
【実施例４】
【００４１】
（図１、図２、図８）
本実施例の手袋１は、実施例３のそれと略同じであるが、本実施例は、つや出し部分に袋状薄膜が無いことで区別される。
【００４２】
換言すれば、本実施例の手袋１は、つや出しパッド８に当て切れ２０が存在することにより区別されている実施例１の手袋１と略同じである。
【００４３】
本実施例の手袋１の使用法は実施例１の手袋の使用法と同様である。
【実施例５】
【００４４】
（図１、図２、図９）
本実施例の手袋は、つや出しパッド８に当て切れ２０が存在することにより区別される実施例２の手袋１と略同じである。
【００４５】
換言すれば、本実施例の手袋１は、実施例２にて開示したように、仕上げ薄膜の存在により区別される実施例４の手袋と略同じである。
【００４６】
本実施例の手袋１の使用法は実施例１の手袋と同様である。
【実施例６】
【００４７】
（図１、図２、図１０）
本実施例の手袋１は実施例５の手袋１と略同じであるが、一方では仕上げ薄膜１７が裏張り薄膜４から突出し、他方では、磨き部分３の袋状薄膜７は、仕上げ薄膜１７に固着され、裏張り薄膜４に固着されないという事実により区別される。
【００４８】
本実施例の手袋の使用法は実施例１の手袋と同様である。
【実施例７】
【００４９】
（図１、図２、図１１）
本実施例の手袋１は、実施例６の手袋と以下の２点で区別される。
【００５０】
第１に、磨き部分２は袋状薄膜７がつや出しパッド５の側に固着される仕上げ薄膜１７に関して配置され、実施例６（及び先行する実施例）の手袋のように、つや出しパッド５に対向しないので、つや出し部分２及び磨き部分３の互いの向きは逆になる。
【００５１】
第２に、つや出し部分２は手袋形状であり、したがって後方縁部上の空いているＵ字状領域２２に沿って、磨き部分３に対向する側に仕上げ薄膜１７上へ固着される袋状薄膜２１を含み、第２開口部２３は指を滑り入れることが可能となる。
【００５２】
本実施例の手袋の使用法は実施例３の手袋と同様である。
【実施例８】
【００５３】
（図１、図２、図１２）
本実施例の手袋１は実施例７の手袋と略同じであるが、仕上げ薄膜１７に固着される代わりに、磨き用薄膜２の袋状薄膜２１は、裏張り薄膜４に固着されるという事実により区別される
【００５４】
本実施例の手袋の使用法は実施例７の手袋と同様である。
【実施例９】
【００５５】
（図１、図２、図１３）
本実施例の手袋１は、仕上げ薄膜が無いことにより、実施例８の手袋と区別される。換言すれば、本実施例の手袋１は、一方では、磨き部分３は、つや出しパッド５の側に、且つ、反対側ではなく、裏張り薄膜４に関して配置されるので、つや出し部分２と磨き部分３との逆さにされた相互の配向により、実施例４の手袋１と区別され、他方では、磨き部分２が手袋の形状であり、且つ、したがって、指をすべり入れることを可能にする、Ｕ字状領域２２に沿って、つや出しパッド５に対抗する側（したがって、磨き部分３に対抗する側）の裏張り薄膜４に固着される袋状薄膜２１を含むという事実により、実施例４の手袋１と区別される。
【００５６】
本実施例の手袋の使用法は実施例３、７、８に係る手袋の使用法と同様である。
【００５７】
したがって、いずれの実施形態においても、手袋１の使用法は簡単である。実施例１、２、４、５、６において、つや出し及び磨く作業の間に、手は磨き部分に挿入されたままで、つや出し部分２は、靴磨きが終わった後で磨き部分３から分離される。実施例３、７、８、９において、磨き部分３と同じように、つや出し部分２に手を挿入してもよい。したがって、靴をつや出しして磨く前に、両方の部分２、３を分離することができる。いずれの場合においても、（恐らく剥離式シール６をつや出しパッド５の上に貼り直した後に）つや出し部分２を捨てるため、磨く時間までに、つや出し部分２はすでに磨き部分３から切り離されているので、汚れる危険性は低い。更に、この手袋は寸法が小さいので、場所を問わず使用可能となる。更に、材料（多層でもよい）の緊密性及び接合は、つや出し部分の緊密性を確保し、靴墨の液漏れ及び蒸発を防ぐ。したがって、本発明による手袋は耐用期間が長く、その間、手袋を使用する前に、使用者のポケット又はバッグ内に収納され、汚れる危険性が無く無臭である。つや出し部分の緊密性は、いくつかの靴、より正確には一対の靴をつや出しすることを可能にするのに十分な量の靴墨につや出しパッド５を含侵することも可能にする。
【図１】
2011504971.tif 000003
【図２】
2011504971.tif 000004
【図３】
2011504971.tif 000005
【図４】
2011504971.tif 000006
【図５】
2011504971.tif 000007
【図６】
2011504971.tif 000008
【図７】
2011504971.tif 000009
【図８】
2011504971.tif 000010
【図９】
2011504971.tif 000011
【図１０】
2011504971.tif 000012
【図１１】
2011504971.tif 000013
【図１２】
2011504971.tif 000014
【図１３】
2011504971.tif 000015
【国際調査報告】
2011504971.tif 000016
2011504971.tif 000017
2011504971.tif 000018
2011504971.tif 000019
2011504971.tif 000020
2011504971.tif 000021